(57)【要約】【課題】左眼用の光源の光と右眼用の光源の光との分離を良くして、クロストークを防止する。【解決手段】第１偏光フィルタ２４６ａと、第２偏光フィルタ２４６ｂと、一方の偏光フィルタを透過した光を観察者の左眼に到達する方向に、他方の偏光フィルタを透過した光を観察者の右眼に到達する方向に、屈折させて液晶表示パネル２３２に照射する光学手段２２８とを備える画像表示装置において、光源を、第１偏光フィルタ２４６ａに光を透過させる第１光源グループ２４３ａと、第２偏光フィルタ２４６ｂに光を透過させる第２光源グループ２４３ｂとに、区分構成し、第１光源グループ２４３ａから第１偏光フィルタ２４６ａへの光路と第２光源グループ２４３ｂから第２偏光フィルタ２４６ｂへの光路との間に、光の透過を防止する遮蔽部を設ける。【選択図】        図８
2004286826.tif 000002
【特許請求の範囲】
【請求項１】
光源から照射される光を特定の偏光の光に変化させる第１偏光フィルタと、
光源から照射される光を前記特定の偏光の光と偏光軸が直交する偏光の光に変化させる第２偏光フィルタと、
一方の偏光フィルタを透過した光を観察者の左眼に到達する方向に、他方の偏光フィルタを透過した光を観察者の右眼に到達する方向に、屈折させて液晶表示パネルに照射する光学手段とを備える画像表示装置において、
前記光源を、前記第１偏光フィルタに光を透過させる第１光源グループと、前記第２偏光フィルタに光を透過させる第２光源グループとに、区分構成し、
前記第１光源グループから前記第１偏光フィルタへの光路と前記第２光源グループから前記第２偏光フィルタへの光路との間に、光の透過を防止する遮蔽部を設けたことを特徴とする画像表示装置。
【請求項２】
前記第１、第２光源グループと前記光学手段との間に、前記第１偏光フィルタと前記第２偏光フィルタとを並べて配置する取付フレーム部材を配設すると共に、
前記遮蔽部は、前記取付フレーム部材に設けられることを特徴とする請求項１に記載の画像表示装置。
【請求項３】
前記取付フレーム部材は、開口を有する枠体であって、前記第１偏光フィルタに対応する開口領域と前記第２偏光フィルタに対応する開口領域との境界部に沿って設けた隔壁によって前記遮蔽部が形成されることを特徴とする請求項２に記載の画像表示装置。
【請求項４】
前記第１、第２光源グループの各光源と前記第１、第２偏光フィルタとの間に、光源から出射される光を一定の方向に収束させながら放射させる光路収束手段を備えると共に、この光路収束手段には光の放射を行う光放射面が形成され、
前記取付フレーム部材に設けられた遮蔽部は、前記各偏光フィルタと前記光路収束手段の光放射面との間に、前記各偏光フィルタ同士を並べる方向に所定の幅を有して設けられ、
前記遮蔽部の一方の面には、前記光路収束手段の光放射面が当接し、
前記遮蔽部の他方の面には、遮蔽部の幅内に前記各偏光フィルタ同士の境界部が臨んだ状態で、前記各偏光フィルタが配置されていることを特徴とする請求項２または３に記載の画像表示装置。
【請求項５】
前記第１、第２光源グループの各光源と前記第１、第２偏光フィルタとの間に、光源から出射される光を一定の方向に収束させながら放射させる光路収束手段を備えると共に、
前記遮蔽部は、前記光路収束手段に設けられることを特徴とする請求項１に記載の画像表示装置。
【請求項６】
前記光路収束手段は、前記第１偏光フィルタと前記第２偏光フィルタとの境界部に向かって突起部が突設されると共に、
その突起部に前記遮蔽部が設けられることを特徴とする請求項５に記載の画像表示装置。
【請求項７】
前記光路収束手段は、前記第１偏光フィルタと前記第２偏光フィルタとの境界部に対応して分割構造に形成かつ分割部を接合して構成されると共に、
その接合部に前記遮蔽部が設けられることを特徴とする請求項５または６に記載の画像表示装置。
【請求項８】
前記遮蔽部は、しぼ加工した前記分割部を接合して形成されることを特徴とする請求項７に記載の画像表示装置。
【請求項９】
前記遮蔽部は、前記第１光源グループの光源と前記第２光源グループの光源との間に形成されることを特徴とする請求項１に記載の画像表示装置。
【請求項１０】
前記第１偏光フィルタと前記第２偏光フィルタとを一体形成したことを特徴とする請求項１〜９のいずれか１つに記載の画像表示装置。
【発明の詳細な説明】
【０００１】
【発明の属する技術分野】
本発明は画像表示装置に関し、特に、観察者が特別なメガネをかけることなく立体視することができる三次元画像表示装置に関する。
【０００２】
【従来の技術】
従来三次元画像表示装置は、光源の前面左右に偏光方向が直交する右眼用偏光フィルタ部と左眼用偏光フィルタ部とを配置し、この各フィルタ部を通過した各光をフレネルレンズで平行光として液晶表示素子に照射し、この液晶表示素子の両面の偏光フィルタのそれぞれを、１水平ライン毎に互いに直交する直線偏光フィルタライン部を交互に配置し、且つ、光源側と観察側の対向する直線偏光フィルタライン部を直交する偏光方向とし、液晶表示素子の液晶パネルには２枚の偏光フィルタの透光ラインに合わせて１水平ライン毎に右眼用と左眼用の映像情報を交互に表示する構成であった。また、光源側の偏光フィルタを１水平ライン毎に互いに直交する直線偏光フィルタライン部を交互に配置し、観察側の偏光フィルタを光源側の偏光フィルタの一方の直線偏光フィルタライン部を有する直線偏光フィルタとし、液晶表示素子の液晶パネルには光源側の偏光フィルタの透光ラインに合わせて１水平ライン毎に右眼用と左眼用の映像情報を交互に表示する構成であった（例えば、特許文献１）。
【０００３】
【特許文献１】
特開平１０−６３１９９号公報
【０００４】
【発明が解決しようとする課題】
しかし、この従来の画像表示装置においては、２つの光源からの光を、互いに偏光方向が異なる２つの偏光フィルタに、それぞれ独立して透過させるようになっているが、一方の光源の光が他方の偏光フィルタを通ってしまうと、偏光の異なる光が重なるクロストークが発生してしまい、この場合、立体画像を認識しにくくなっていた。さらに、光源の光量を大きくするために、光源を一列に沢山並べてしまうと、左眼用の光源の光と右眼用の光源の光との分離が一層困難になり、左眼用の光源からの光が右眼用偏光フィルタ部に入ったり、あるいは右眼用の光源からの光が左眼用偏光フィルタ部に入ったりして、大きなクロストークが発生してしまい、立体画像が余計に認識しにくくなっていた。
【０００５】
この発明は、このような問題点を解決することを目的とする。
【０００６】
【課題を解決するための手段】
第１の発明は、光源から照射される光を特定の偏光の光に変化させる第１偏光フィルタと、光源から照射される光を前記特定の偏光の光と偏光軸が直交する偏光の光に変化させる第２偏光フィルタと、一方の偏光フィルタを透過した光を観察者の左眼に到達する方向に、他方の偏光フィルタを透過した光を観察者の右眼に到達する方向に、屈折させて液晶表示パネルに照射する光学手段とを備える画像表示装置において、前記光源を、前記第１偏光フィルタに光を透過させる第１光源グループと、前記第２偏光フィルタに光を透過させる第２光源グループとに、区分構成し、前記第１光源グループから前記第１偏光フィルタへの光路と前記第２光源グループから前記第２偏光フィルタへの光路との間に、光の透過を防止する遮蔽部を設ける。
【０００７】
第２の発明は、第１の発明において、前記第１、第２光源グループと前記光学手段との間に、前記第１偏光フィルタと前記第２偏光フィルタとを並べて配置する取付フレーム部材を配設すると共に、前記遮蔽部は、前記取付フレーム部材に設けられる。
【０００８】
第３の発明は、第２の発明において、前記取付フレーム部材は、開口を有する枠体であって、前記第１偏光フィルタに対応する開口領域と前記第２偏光フィルタに対応する開口領域との境界部に沿って設けた隔壁によって前記遮蔽部が形成される。
【０００９】
第４の発明は、第２、第３の発明において、前記第１、第２光源グループの各光源と前記第１、第２偏光フィルタとの間に、光源から出射される光を一定の方向に収束させながら放射させる光路収束手段を備えると共に、この光路収束手段には光の放射を行う光放射面が形成され、前記取付フレーム部材に設けられた遮蔽部は、前記各偏光フィルタと前記光路収束手段の光放射面との間に、前記各偏光フィルタ同士を並べる方向に所定の幅を有して設けられ、前記遮蔽部の一方の面には、前記光路収束手段の光放射面が当接し、前記遮蔽部の他方の面には、遮蔽部の幅内に前記各偏光フィルタ同士の境界部が臨んだ状態で、前記各偏光フィルタが配置されている。
【００１０】
第５の発明は、第１の発明において、前記第１、第２光源グループの各光源と前記第１、第２偏光フィルタとの間に、光源から出射される光を一定の方向に収束させながら放射させる光路収束手段を備えると共に、前記遮蔽部は、前記光路収束手段に設けられる。
【００１１】
第６の発明は、第５の発明において、前記光路収束手段は、前記第１偏光フィルタと前記第２偏光フィルタとの境界部に向かって突起部が突設されると共に、その突起部に前記遮蔽部が設けられる。
【００１２】
第７の発明は、第５、第６の発明において、前記光路収束手段は、前記第１偏光フィルタと前記第２偏光フィルタとの境界部に対応して分割構造に形成かつ分割部を接合して構成されると共に、その接合部に前記遮蔽部が設けられる。
【００１３】
第８の発明は、第７の発明において、前記遮蔽部は、しぼ加工した前記分割部を接合して形成される。
【００１４】
第９の発明は、第１の発明において、前記遮蔽部は、前記第１光源グループの光源と前記第２光源グループの光源との間に形成される。
【００１５】
第１０の発明は、第１〜第９の発明において、前記第１偏光フィルタと前記第２偏光フィルタとを一体形成した。
【００１６】
【発明の効果】
第１の発明では、左眼用画像を観察者の左眼側に、右眼用画像を観察者の右眼側に向かわせる画像表示装置において、光源を、第１光源グループと第２光源グループとに区分構成し、第１光源グループから第１偏光フィルタへの光路と第２光源グループから第２偏光フィルタへの光路との間に、光の透過を防止する遮蔽部を設けたので、左眼用の偏光フィルタを通過した光による左眼用画像が観察者の右眼に到達したり、右眼用の偏光フィルタを通過した光による右眼用画像が観察者の左眼に到達して左眼用画像と右眼用画像とが重なるクロストークを発生することを抑えることができ、観察者は立体画像を認識しやすくなる。
【００１７】
第２、第３の発明では、偏光フィルタを配置する取付フレーム部材に遮蔽部を設けることによって、第１光源グループからの光が第２偏光フィルタを通過したり、第２光源グループからの光が第１偏光フィルタを通過することを低減できる。
【００１８】
第４の発明では、光放射面の当接と、各偏光フィルタ同士の境界部を遮蔽部の幅内に収めたことにより、対応しない光源と偏光フィルタ同士を、遮蔽部によってより一層、分断できる。また、遮蔽部の幅の分だけ各偏光フィルタがずれて良いだけの設計自由度を持たせることができる。
【００１９】
第５〜第７の発明では、第１光源グループからの光が光路収束手段を介して第２偏光フィルタを通過したり、第２光源グループからの光が光路収束手段を介して第１偏光フィルタを通過することを低減できる。
【００２０】
第８の発明では、しぼ加工によって光路間の光の侵入を低減できる。
【００２１】
第９の発明では、第１、第２光源グループの光源の間に遮蔽部を形成することによって、光路間の光の侵入を一層低減できる。
【００２２】
第１０の発明では、第１偏光フィルタと第２偏光フィルタとを一体形成することによって、組付性が向上する。
【００２３】
【発明の実施の形態】
以下、本発明の実施の形態について、図面に基づいて説明する。
【００２４】
図１〜図３は、本発明の実施の形態の画像表示装置の斜視図と分解斜視図と画像表示装置本体の分解斜視図である。
【００２５】
画像表示装置２００は、前面カバーパネル２０１と後部カバ−ボックス２０２とにより構成される外装ケースに画像表示装置本体２２０が組み入れられる。
【００２６】
画像表示装置本体２２０は、前面ユニット２２１（前側構成部）と後部ユニット２２２（後側構成部）等から構成される。
【００２７】
前面ユニット２２１は、取付ベース２２３にカバー枠２２４、レンズ保持枠を介してディフューザ（拡散板）２２６、液晶表示パネルユニット２２７、フレネルレンズ２２８（光学手段）が組み付けられる。
【００２８】
フレネルレンズ２２８は、一側面に同心円上の凹凸を有するレンズ面を有した平板状の凸レンズで、液晶表示パネルユニット２２７の後面に配設される。
【００２９】
液晶表示パネルユニット２２７は、後述するように、第１、第２偏光板２３０，２３１と液晶表示パネル２３２と微細位相差板２３３とから構成される。
【００３０】
ディフューザ２２６は、液晶表示パネルパネルユニット２２７を透過した光を上下方向に拡散する拡散手段として機能するもので、液晶表示パネルユニット２２７の前面に配設される。
【００３１】
後部ユニット２２２は、前面ユニット２２１のフレネルレンズ２２８の後方側に上部空間を、その下方に下部空間を形成する後部ケース２３７に、光源ユニット２３８、ミラー（反射部材）２４０が組み付けられる。
【００３２】
光源ユニット２３８は、後述するように、所定形状のホルダ２４２に光源２４３（左眼用の光源２４３ａ、右眼用の光源２４３ｂ）が配置され、後部ケース２３７の下部空間の後部壁２４４に、後傾して、液晶表示パネルユニット２２７に対して光源２４３が左右方向に配列されるように、取り付けられる。
【００３３】
ミラー２４０は、光源ユニット２３８の光源２４３の光をフレネルレンズ２２８に照射（反射）するように、後部ケース２３７の上部空間の所定角度前傾した上半壁に取り付けられる。
【００３４】
光源２４３は、ホルダ２４２を介して、それぞれ光軸中心がフレネルレンズ２２８のほぼ中心部を通るように、フレネルレンズ２２８の中心部からほぼ等距離に位置するように、かつその焦点距離にほぼ等しい距離に来るように、配置される（光源２４３の光、フレネルレンズ２２８の中心部からの距離は、ミラー２４０を系路にする）。
【００３５】
光源２４３の前面には、後述するように、偏光フィルタ２４６（第１偏光フィルタ２４６ａ、第２偏光フィルタ２４６ｂ）が配設される。
【００３６】
画像表示装置本体２２０の裏面側には、基板ホルダ２９０、２９１を介して液晶表示パネル駆動用の基板が配設される。また、光源２４３の冷却用のファン２９２が取り付けられる。
【００３７】
図４は画像表示装置２２０の機能説明図である。
【００３８】
光源２４３の右側（左眼用）の光源２４３ａの前面には第１偏光フィルタ２４６ａが、左側（右眼用）の光源２４３ｂの前面には第２偏光フィルタ２４６ｂが配設されている。第１偏光フィルタ２４６ａと第２偏光フィルタ２４６ｂとは透過する光の偏光が異なる（例えば、第１偏光フィルタ２４６ａと第２偏光フィルタ２４６ｂとで透過する光の偏光を９０度ずらす）ように設定されている。
【００３９】
光源２４３ａ、２４３ｂから放射された光は、偏光フィルタ２４６ａ、２４６ｂによって一定の偏光の光のみが透過される。すなわち、右側の光源２４３ａから放射され偏光フィルタ２４６ａを通過した光と、左側の光源２４３ｂから放射され偏光フィルタ２４６ｂを通過した光とが異なる偏光の光としてフレネルレンズ２２８に照射される。後述するように、第１偏光フィルタ２４６ａを通過した光は観察者の左目に到達し、第２偏光フィルタ２４６ｂを通過した光は観察者の右目に到達するようになっている。
【００４０】
偏光フィルタ２４６ａ、２４６ｂを透過した光はフレネルレンズ２２８に照射される。フレネルレンズ２２８は凸レンズであり、フレネルレンズ２２８では左右の光源２４３ａ、２４３ｂから拡散するように放射された光の光路を略平行に屈折して微細位相差板２３３を透過して、液晶表示パネル２３２に照射する。
【００４１】
このとき、微細位相差板２３３から照射される光は、上下方向に広がることがないように出射され、液晶表示パネル２３２に照射される。すなわち、微細位相差板２３３の特定の領域を透過した光が、液晶表示パネル２３２の特定の表示単位の部分を透過するようになっている。
【００４２】
また、液晶表示パネル２３２に照射される光のうち、第１偏光フィルタ２４６ａを通過した光と第２偏光フィルタ２４６ｂを通過した光とは、異なる角度でフレネルレンズ２２８に入射し、フレネルレンズ２２８で屈折して左右異なる経路で液晶表示パネル２３２から放射される。
【００４３】
液晶表示パネル２３２は、２枚のガラス基材の間に所定の角度（例えば、９０度）ねじれて配向された液晶等（図示しない）が配置されており、例えば、ＴＦＴ型の液晶表示パネルに構成されている。液晶表示パネル２３２に入射した光は、液晶に電圧が加わっていない状態では、入射光の偏光が９０度ずらして出射される。一方、液晶に電圧が加わっている状態では、液晶のねじれが解けるので、入射光はそのままの偏光で出射される。
【００４４】
液晶表示パネル２３２の光源２４３側には、微細位相差板２３３及び偏光板２３１（第２偏光板）が配置されており、観察者側には、偏光板２３０（第１偏光板）が配置されている。
【００４５】
微細位相差板２３３は、光透過性の基材２３４に、微細な幅の１／２波長板２３５が設けられた領域２３６ａと、１／２波長板２３５が設けられていない１／２波長板２３５の幅と同一の微細な幅の領域２３６ｂとが繰り返して設けられている。この領域２３６ａ、２３６ｂは、液晶表示パネル２３２の表示単位と略同一のピッチとして、表示単位毎（すなわち、表示単位の水平ライン毎）に交互に設けられている。
【００４６】
１／２波長板２３５は、その光学軸を第１偏光フィルタ２４６ａを透過する光の偏光軸と４５度傾けて配置して、第１偏光フィルタ２４６ａを透過した光の偏光軸を９０度回転させて出射する。すなわち、第１偏光フィルタ２４６ａを透過した光の偏光を９０度回転させて、第２偏光フィルタ２４６ｂを透過する光の偏光と等しくする。すなわち、微細位相差板２３３の光の位相を変化させる領域２３６ａは、第１偏光フィルタ２４６ａを透過した光を、第２偏光フィルタ２４６ｂを透過した光の偏光と等しくして透過する。同様に、この領域２３６ａは、第２偏光フィルタ２４６ｂを透過した光を、第１偏光フィルタ２４６ａを透過した光の偏光と等しくして透過する。
【００４７】
一方、微細位相差板２３３の光の位相を変化させない領域２３６ｂは、第１偏光フィルタ２４６ａを透過した光と、第２偏光フィルタ２４６ｂを透過した光の双方を、偏光軸を回転させずに、そのまま透過させる。
【００４８】
この微細位相差板２３３の偏光特性の繰り返しは、液晶表示パネル２３２の表示単位と略同一のピッチとして、表示単位毎（すなわち、表示単位の水平ライン毎）に透過する光の偏光が異なるようにする。よって、液晶表示パネル２３２の表示単位の水平ライン（走査線）毎に対応する微細位相差板の偏光特性が異なるようになって、水平ライン毎に出射する光の方向が異なる。
【００４９】
偏光板２３１は第２偏光板として機能し、第２偏光フィルタ２４６ｂを透過した光と同一の偏光の光を透過する偏光特性を有する。すなわち、第２偏光フィルタ２４６ｂを透過した光は、微細位相差板２３３の光の位相を変化させない領域２３６ｂを透過した光のみが第２偏光板２３１を透過し、第１偏光フィルタ２４６ａを透過した光は、微細位相差板２３３の光の位相を変化させる領域２３６ａを透過して偏光軸を９０度回転させられた光のみが第２偏光板２３１を透過する。また、偏光板２３０は第１偏光板として機能し、偏光板２３１と９０度異なる偏光の光を透過する偏光特性を有する。
【００５０】
このような微細位相差板２３３、偏光板２３１及び偏光板２３０を液晶表示パネル２３２に貼り合わせて、微細位相差板２３３、偏光板２３１、液晶表示パネル２３２及び偏光板２３０を組み合わせて画像表示装置を構成する。このとき、液晶に電圧が加わった状態では、偏光板２３１を透過した光は偏光板２３０を透過する。一方、液晶に電圧が加わっていない状態では、偏光板２３１を透過した光は偏光が９０度ねじれて液晶表示パネル２３２から出射されるので、偏光板２３０を透過しない。
【００５１】
ディフューザ２２６は、第１偏光板２３０の前面側（観察者側）に取り付けられており、液晶表示パネルを透過した光を上下方向に拡散する。
【００５２】
図５は、画像表示装置２２０の駆動回路６００を示すブロック図である。
【００５３】
画像表示装置を駆動するための主制御回路６０１には、ＣＰＵ６１１、プログラムなどを予め格納したＲＯＭ６１２、ＣＰＵ６１１の動作時にワークエリアとして使用されるメモリであるＲＡＭ６１３が設けられている。これらのＣＰＵ６１１、ＲＯＭ６１２及びＲＡＭ６１３はバス６１８によって接続されている。このバス６１８はＣＰＵ６１１がデータの読み書きをするために使用するアドレスバス及びデータバスから構成されている。
【００５４】
また、外部との入出力を司る通信インターフェース６１５、入力インターフェース６１６及び出力インターフェース６１７が、バス６１８に接続されている。通信インターフェース６１５は、所定の通信プロトコルに従ってデータ通信を行うためのデータ入出力部である。入力インターフェース６１６、出力インターフェース６１７は、画像表示装置に表示する画像データを入出力する。
【００５５】
また、バス６１８には、表示制御回路６０２のグラフィック・ディスプレイ・プロセッサ（ＧＤＰ）６５１が接続されている。ＧＤＰ６５１は、ＣＰＵ６１１によって生成された画像データを演算し、ＲＡＭ６５３に設けられたフレームバッファに書き込んで、画像表示装置に対して出力する信号（ＲＧＢ、Ｖ  ＢＬＡＮＫ、Ｖ＿ＳＹＮＣ、Ｈ＿ＳＹＮＣ）を生成する。ＧＤＰ６５１には、ＲＯＭ６５２及びＲＡＭ６５３が接続されており、ＲＡＭ６５３には、ＧＤＰ６５１が動作するためのワークエリア及び表示データを記憶するフレームバッファが設けられている。また、ＲＯＭ６５２には、ＧＤＰ６５１が動作するために必要なプログラム及びデータが記憶されている。
【００５６】
また、ＧＤＰ６５１には、ＧＤＰ６５１にクロック信号を供給する発振器６５８が接続されている。発振器６５８が生成するクロック信号は、ＧＤＰ６５１の動作周期を規定し、ＧＤＰ６５１から出力される同期信号（例えば、Ｖ＿ＳＹＮＣ、ＶＢＬＡＭＮＫ）の周期を生成する。
【００５７】
ＧＤＰ６５１から出力されるＲＧＢ信号は、γ補正回路６５９に入力されている。このγ補正回路６５９は、画像表示装置の信号電圧に対する照度の非線形特性を補正して、画像表示装置の表示照度を調整して、画像表示装置に対して出力するＲＧＢ信号を生成する。
【００５８】
合成変換装置６７０は、右目用フレームバッファ、左目用フレームバッファ及び立体視用フレームバッファが設けられており、ＧＤＰ６５１から送られてきた右目用画像を右目用フレームバッファに書き込み、左目用画像を左目用フレームバッファに書き込む。そして、右目用画像と左目用画像とを合成して立体視用画像を生成して立体視用フレームバッファに書き込んで、立体視用画像データをＲＧＢ信号として画像表示装置に出力する。
【００５９】
この右目用画像と左目用画像との合成による立体視用画像の生成は、微細位相差板２３３の１／２波長板２３５の間隔毎に、右目用画像と左目用画像と組み合わせる。具体的には、本実施の形態の画像表示装置の微細位相差板２３３の１／２波長板２３５は液晶表示パネル２３２の表示単位の間隔で配置されているので、液晶表示パネル２３２の表示単位の横方向ライン（走査線）毎に右目用画像と左目用画像とが交互に表示されるように立体視用画像を表示する。
【００６０】
Ｌ信号出力中にＧＤＰ６５１から送信されてきた左目用画像データを左目用フレームバッファに書き込み、Ｒ信号出力中にＧＤＰ６５１から送信されてきた右目用画像データを右目用フレームバッファに書き込む。そして、左目用フレームバッファに書き込まれた左目用画像データと、右目用フレームバッファに書き込まれた右目用画像データとを走査線一本毎読み出して、立体視用フレームバッファに書き込む。
【００６１】
画像表示装置内には液晶ドライバ（ＬＣＤ  ＤＲＶ）６８１、バックライトドライバ（ＢＬ  ＤＲＶ）６８２が設けられている。液晶ドライバ（ＬＣＤ  ＤＲＶ）６８１は、合成変換装置６７０から送られてきたＶ  ＢＬＡＮＫ信号、Ｖ＿ＳＹＮＣ信号、Ｈ＿ＳＹＮＣ信号及びＲＧＢ信号に基づいて、液晶表示パネルの電極に順次電圧をかけて、液晶表示パネルに立体視用の合成画像を表示する。
【００６２】
バックライトドライバ６８２は、ＧＤＰ６５１から出力されたＤＴＹ＿ＣＴＲ信号に基づいてバックライト（光源２４３）に加わる電圧のデューティー比を変化させて、液晶表示パネル２３２の明るさを変化させる。
【００６３】
図６〜図９は、光源ユニット２３８の前側斜視図と後側斜視図と分解斜視図と断面図である。
【００６４】
光源ユニット２３８は、光源２４３とプリズム２４５と偏光フィルタ２４６とホルダ２４２とから構成される。
【００６５】
光源２４３は、金属製の基板２４７の所定長さの中央部２５０ａとその両側の基板前面方向に所定角度斜行した周辺部２５０ｂとに、所定数の発光素子（ＬＥＤ：白色発光ダイオード等）２４８が線状に配列して取り付けられると共に、基板２４７の中央部２５０ａの中心部位を境界Ｋ（発光素子２４８の配列の間隙）に、左側（図８、図９の場合）に配列された発光素子２４８が左眼用の光源２４３ａ（第１光源グループ）に、右側（図８、図９の場合）に配列された発光素子２４８が右眼用の光源２４３ｂ（第２光源グループ）に区分される。
【００６６】
基板２４７は、中央部２５０ａの発光素子２４８を配設してない幅方向の端部中央に所定の切り欠き部２５２が形成される。また、基板２４７の左右方向の一端には、光源２４３に電源を供給する配線を接続するためのコネクタ接続部２９５が設けられる。
【００６７】
プリズム２４５（光路収束手段）は、発光素子２４８の光の拡散を防ぎ指向性を持たせて所定角度の拡がりで出射させるように、発光素子２４８側の底面（入光面）面積を小さく、偏光フィルタ２４６側の頂面（出光面）面積を大きく長方形にした略くさび形状に形成されると共に、中央部２５０ａ、周辺部２５０ｂの発光素子２４８に対応して、中央部、周辺部のプリズム２４５毎に中央プリズム体２５３ａ（光路収束手段）、周辺プリズム体２５３ｂ（光路収束手段）として一体形成される。各プリズム体２５３ａ、２５３ｂの出光面部の両縁部にはそれぞれ取付用の突起部２５４が形成され、突起部２５４に位置決め用の溝２５４ａが設けられる。
【００６８】
偏光フィルタ２４６は、左眼用の発光素子２４８（光源２４３ａ）の光を左眼用の偏光の光にする第１偏光フィルタ２４６ａと、右眼用の発光素子２４８（光源２４３ｂ）の光を右眼用の偏光の光にする第２偏光フィルタ２４６ｂとが設けられ、第１偏光フィルタ２４６ａと第２偏光フィルタ２４６ｂとが、互いの偏光軸を直交する向きに、光透過性の可撓性を有する基材２５５（例えば、樹脂）に、基材２５５の中央を境界に左右対称に貼り付けられる。
【００６９】
ホルダ２４２は、収納部２５６を形成する側部カバー部材２５７ａと、収納ベース部材２５７ｂと、カバー枠２５８（取付フレーム部材）とにより構成される。
【００７０】
側部カバー部材２５７ａは、中央部に対して両側の周辺部を所定角度ホルダ前面方向に斜行するように形成され、内壁に底辺に沿って底辺から所定高さに基板２４７を支持する受け台２６０が、内壁の上部にプリズム体２５３ａ、２５３ｂの突起部２５４を受け、突起部２５４の溝２５４ａに係合する係合突起２６１ａを介してプリズム体２５３ａ、２５３ｂを位置決め支持する係止受部２６１が形成される。
【００７１】
側部カバー部材２５７ａの中央部の外面には前面ユニット２２１の下部に取り付けられる光源カバー２６２の掛止穴と嵌合する嵌合突起２６３が形成され、両側の周辺部には端部中央に所定の空気取入口が開設される。
【００７２】
収納ベース部材２５７ｂは、中央部に対して両側の周辺部を所定角度ホルダ前面方向に斜行するように形成されると共に、壁部２６６内に基板２４７の幅に対応して凹部２６８が形成される。底壁の両側の周辺部には端部に所定の空気取入口が開設され、凹部２６８に底壁に沿って底壁から所定高さに基板２４７を支持する受け溝（図示しない）が、壁部２６６の内壁の上部に側部カバー部材２５７ａに同じくプリズム体２５３ａ、２５３ｂの突起部２５４を受け、突起部２５４の溝２５４ａに係合する係合突起２６１ａを介してプリズム体２５３ａ、２５３ｂを位置決め支持する係止受部（図示しない）が形成される。
【００７３】
壁部２６６の両側の周辺部の外面にはホルダ２４２を後部ケース２３７の後部壁２４４に取り付けるための取付用ボス２７２が形成され、中央部には壁部２６６の凹部２６８の中央に基板２４７の切り欠き部２５２に対応して所定の空気排出口２７３が開設される。この空気排出口２７３は、後部ケース２３７の後部壁２４４に形成されたダクト口を介してファン２９２に接続される。
【００７４】
カバー枠２５８は、側部カバー部材２５７ａ、収納ベース部材２５７ｂとを組み合わせてできる収納部２５６の開口面に偏光フィルタ２４６（第１偏光フィルタ２４６ａ、第２偏光フィルタ２４６ｂ）を配設するもので、開口２７４を持つ湾曲形状（弧状）の枠体から構成される。開口２７４を囲う枠部の内周には、偏光フィルタ２４６を湾曲状態に装着するように、偏光フィルタ２４６の周縁部を受ける曲形状の受け部２７５が、枠部の上部数カ所には、偏光フィルタ２４６の周縁部の抑え２７７が、枠部の両端上部には、偏光フィルタ２４６の左右方向への動きを規制する起立部２７６が形成される。枠部の周囲下部には、側部カバー部材２５７ａ、収納ベース部材２５７ｂの外面に突設した係合受部２７８に係止する係合爪２８０が形成される。ただし、図６、図７では、枠部の上部中央の抑え２７７は図示省略している。
【００７５】
そして、カバー枠２５８の開口２７４は、開口２７４の中央を境界Ｌに、左側（図８、図９の場合）が第１偏光フィルタ２４６ａの開口領域２７４ａに、右側（図８、図９の場合）が第２偏光フィルタ２４６ｂの開口領域２７４ｂに設定されると共に、これらの開口領域２７４ａ、２７４ｂの境界部つまり開口２７４の中央の境界Ｌに沿って枠部に隔壁２８１が設けられる。
【００７６】
図１０に示すように、この隔壁２８１は、偏光フィルタ２４６の受け部２７５からプリズム体２５３ａの頂面２５９（光放射面）に当接する深さに形成され、この隔壁２８１により、左眼用の光源２４３ａ（第１光源グループ）から第１偏光フィルタ２４６ａへの光路と、右眼用の光源２４３ｂ（第２光源グループ）から第２偏光フィルタ２４６ｂへの光路との間の光の透過を防止する遮蔽部が形成される。また、隔壁２８１は、第１偏光フィルタ２４６ａと第２偏光フィルタ２４６ｂとが並ぶ方向にＷの長さを有する幅になっており、この幅の上部へ、第１偏光フィルタ２４６ａと第２偏光フィルタ２４６ｂとの境界部が位置するようになっている。すなわち、隔壁２８１のプリズム体２５３ａ側の下部面には、プリズム体２５３ａの頂面２５９（光放射面）が当接し、偏光フィルタ２４６の側の上部面には、第１偏光フィルタ２４６ａと第２偏光フィルタ２４６ｂとの境界部が臨むように形成される。
【００７７】
図８の各部品を組み付ける手順は、まず基板２４７の発光素子２４８を配設してない側を収納ベース部材２５７ｂの凹部２６８の受け溝に差し込み、側部カバー部材２５７ａを収納ベース部材２５７ｂに、基板２４７を側部カバー部材２５７ａの受け台２６０に支持して取り付ける。次に、基板２４７の中央部２５０の発光素子２４８に中央プリズム体２５３ａのプリズム２４５を、周辺部２５１の発光素子２４８に周辺プリズム体２５３ｂのプリズム２４５を合わせて、各プリズム体２５３ａ、２５３ｂを側部カバー部材２５７ａ、収納ベース部材２５７ｂの係止受部２６１に係止して装着する。
【００７８】
次に、カバー枠２５８に偏光フィルタ２４６（第１偏光フィルタ２４６ａと第２偏光フィルタ２４６ｂとを基材２５５に並べて貼り付けたもの）を装着して、このカバー枠２５８を、側部カバー部材２５７ａ、収納ベース部材２５７ｂの開口面に、係合爪２８０を係合受部２７８に係止して取り付ける。カバー枠２５８の係合爪２８０を側部カバー部材２５７ａ、収納ベース部材２５７ｂの係合受部２７８に係止して取り付けるので、カバー枠２５８の隔壁２８１が左眼用の光源２４３ａ（第１光源グループ）と右眼用の光源２４３ｂ（第２光源グループ）との境界上ならびに中央プリズム体２５３ａの該当するプリズム２４５の境界上に位置し、またカバー枠２５８の両端上部に偏光フィルタ２４６の左右方向への動きを規制する起立部２７６を形成してあるので、カバー枠２５８の隔壁２８１が第１偏光フィルタ２４６ａと第２偏光フィルタ２４６ｂとの境界上に位置する。
【００７９】
このように構成したので、左眼用の光源２４３ａ（第１光源グループ）からの光がプリズム２４５を経て右眼用の第２偏光フィルタ２４６ｂを通過したり、右眼用の光源２４３ｂ（第２光源グループ）からの光がプリズム２４５を経て左眼用の第１偏光フィルタ２４６ａを通過することを低減できる。
【００８０】
したがって、後述するように、右眼用の第２偏光フィルタ２４６ｂを通過した光による右眼画像が観察者の左眼に到達したり、左眼用の第１偏光フィルタ２４６ａを通過した光による左眼画像が観察者の右眼に到達して左眼用画像と右眼用画像とが重なるクロストークを発生することを抑えることができるようになり、観察者は立体画像を認識しやすくなる。
【００８１】
特に、隔壁２８１とプリズム体２５３ａの頂面２５９とが当接しているので、光の光路を確実に遮ることができる。また、隔壁２８１によって、開口領域２７４ａ、２７４ｂの周囲を形成する部材が補強される。さらに、隔壁２８１の幅がＷの長さを有しているので、この長さＷの分だけ、第１偏光フィルタ２４６ａ及び第２偏光フィルタ２４６ｂを、ホルダ２４２に取り付ける際の遊びとして確保することが出来るので、設計に自由度を持たせることもできる。
【００８２】
図１１、図１２は、画像表示装置２２０の光学系を示す側面図、平面図である。ただし、図１１中、光源２４３は中央部のみを示し、点線で表した光源２４３は見かけ上の位置である。また、図１２においては、ミラー２４０を省略して、光源２４３を見かけ上の位置に、左眼用の光源２４３ａ（発光素子２４８）、右眼用の光源２４３ｂ（発光素子２４８）を概略的に表してある。プリズム２４５は図示省略してある。
【００８３】
図１１、図１２に示すように、各光源２４３ａ、２４３ｂから放射された光は偏光フィルタ２４６を透過して放射状に広がっている。
【００８４】
右側の光源２４３ａ（左眼用）から放射され第１偏光フィルタ２４６ａを透過した光（一点鎖線で光路の中心を示す）は、フレネルレンズ２２８に到達し、フレネルレンズ２２８で光の進行方向を変えられて、微細位相差板２３３、液晶表示パネル２３２を透過して左眼ゾーンに至る。
【００８５】
光源２４３の中央部位（中心から右側）に右側の光源２４３ａ（左眼用）を連続して配置してあるため、左眼ゾーンに至る光の照度は高くなる。すなわち、中心側の発光素子２４８からの光はＡＬ領域に至るが、これに隣接する発光素子２４８からの光はそのＡＬ領域に大きく重なり合った領域に出射され、このように順に隣接する発光素子２４８からの光は順に重なり合った領域に出射される。したがって、左眼ゾーンに十分な光が照射されるのである。
【００８６】
左側の光源２４３ｂ（右眼用）から放射され第２偏光フィルタ２４６ｂを透過した光（一点鎖線で光路の中心を示す）は、フレネルレンズ２２８に到達し、フレネルレンズ２２８で光の進行方向を変えられて、微細位相差板２３３、液晶表示パネル２３２を透過して右眼ゾーンに至る。
【００８７】
光源２４３の中央部位（中心から左側）に左側の光源２４３ｂ（右眼用）を連続して配置してあるため、右眼ゾーンに至る光の照度は高くなる。すなわち、中心側の発光素子２４８からの光はＡＲ領域に至るが、これに隣接する発光素子２４８からの光はそのＡＲ領域に大きく重なり合った領域に出射され、このように順に隣接する発光素子２４８からの光は順に重なり合った領域に出射される。したがって、右眼ゾーンに十分な光が照射されるのである。
【００８８】
液晶表示パネル２３２は、走査線ピッチと、微細位相差板２３３の偏光特性の繰り返しピッチとを等しくして、液晶表示パネル２３２の走査線ピッチ毎に異なる方向から到来した光を照射し、異なる方向に光を出射する。
【００８９】
右側の光源２４３ａ（左眼用）から放射され第１偏光フィルタ２４６ａを透過した光は、フレネルレンズ２２８を透過して、微細位相差板２３３に到達し、微細位相差板２３３の領域２３６ａを透過する際に偏光を９０度回転させて出射され、さらに、液晶表示パネル２３２を透過して、左眼ゾーンに至る。すなわち、液晶表示パネル２３２の領域２３６ａに対応する位置の表示素子によって表示された左目画像が左目に到達する。
【００９０】
なお、この微細位相差板２３３の領域２３６ａと交互に並んで配置されている領域２３６ｂは光の偏光を変化させないので、第１偏光フィルタ２４６ａからの光は液晶表示パネル２３２の偏光板２３１つまり液晶表示パネル２３２の領域２３６ｂに対応する位置の表示素子（右目用画像を表示）を透過することはない。
【００９１】
左側の光源２４３ｂ（右眼用）から放射され第２偏光フィルタ２４６ｂを透過した光は、フレネルレンズ２２８を透過して、微細位相差板２３３に到達し、第２偏光フィルタ２４６ｂの同一偏光の光を透過する微細位相差板２３３の領域２３６ｂを透過して、液晶表示パネル２３２を透過して、右眼ゾーンに至る。すなわち、液晶表示パネル２３２の領域２３６ｂに対応する位置の表示素子によって表示された右目画像が右目に到達する。
【００９２】
なお、この微細位相差板２３３の領域２３６ｂと交互に並んで配置されている領域２３６ａは光の偏光を変化させるので、第２偏光フィルタ２４６ｂからの光は液晶表示パネル２３２の偏光板２３１つまり液晶表示パネル２３２の領域２３６ａに対応する位置の表示素子（左目用画像を表示）を透過することはない。
【００９３】
また、前述したように、光源ユニット２３８のカバー枠２５８に設けた隔壁２８１によって、右側の光源２４３ａ（左眼用）から第１偏光フィルタ２４６ａへの光路と、左側の光源２４３ｂ（右眼用）から第２偏光フィルタ２４６ｂへの光路との間の光の透過を防止するので、右側の光源２４３ａ（左眼用）から第２偏光フィルタ２４６ｂに侵入した光が左眼ゾーンに向かったり、左側の光源２４３ｂ（右眼用）から第１偏光フィルタ２４６ａに侵入した光が右眼ゾーンに向かうことを防止できる。
【００９４】
これにより、光路間の光の侵入に起因するクロストークを低減することができる。
【００９５】
一方、フレネルレンズ２２８、液晶表示パネル２３２での複屈折や散乱によってもクロストークを生じるが、これに対し、左右方向にそれぞれ複数の発光素子２４８からなる光源２４３ａ（左眼用）、光源２４３ｂ（右眼用）を配列したので、このようなクロストークを低減することができる。
【００９６】
すなわち、左眼ゾーン、右眼ゾーンにそれぞれ十分な光を照射して、左眼ゾーンには十分な光度の左目画像が到達し、右眼ゾーンには十分な光度の右目画像が到達する。そのため、フレネルレンズ２２８、液晶表示パネル２３２での複屈折や散乱によって右目用画像が左目に、また左目用画像が右目に入っても、左目に到達する左目画像との光度差、また右目に到達する右目画像との光度差が相対的に大きくなり、クロストークを十分に抑えることができる。
【００９７】
このように、クロストークを低減でき、したがって右目画像と左目画像とによって、観察者は立体画像を認識しやすくなり、両眼視差に基づく３次元知覚により容易に立体視することができる。
【００９８】
また、右側の光源２４３ａの右周辺部位に配置された複数の発光素子２４８からの光は左眼ゾーンの左側に広角（ＤＬ領域）に出射され、左側の光源２４３ｂの左周辺部位に配置された複数の発光素子２４８からの光は右眼ゾーンの右側に広角（ＤＲ領域）に出射される。
【００９９】
したがって、画像表示装置の視野角が増大する。そのため、本画像表示装置でテレビゲーム等を行う場合あるいは本画像表示装置を遊技機（パチンコ機等）の画像表示装置に用いた場合に、遊技者だけでなく、周囲の者、大勢の人が画像を見ることができる。
【０１００】
なお、ＤＬ領域、ＤＲ領域では立体画像を見れないが、２次元画像として見ることができる。
【０１０１】
図１３、図１４は、別の実施の形態を示す。
【０１０２】
これは、カバー枠２５８の隔壁２８１を上方に延ばして、開口２７４つまり第１偏光フィルタ２４６ａの開口領域２７４ａと第２偏光フィルタ２４６ｂの開口領域２７４ｂとを隔成するようにしている。
【０１０３】
隔壁２８１は、枠部の上部中央の抑え２７７と一体構造に形成する。この上部中央の抑え２７７は、開口２７４に掛け渡して形成する。
【０１０４】
一方、第１偏光フィルタ２４６ａと第２偏光フィルタ２４６ｂとは、別々の基材３００ａ、３００ｂに貼り付けて、開口領域２７４ａ、２７４ｂに取り付ける。
【０１０５】
このようにすれば、左眼用の光源２４３ａ（第１光源グループ）からの光が右眼用の第２偏光フィルタ２４６ｂを通過したり、右眼用の光源２４３ｂ（第２光源グループ）からの光が左眼用の第１偏光フィルタ２４６ａを通過することを一層低減できる。また、隔壁２８１によって、第１偏光フィルタ２４６ａと、第２偏光フィルタ２４６ｂとが位置規制されるので、開口領域２７４ａ側に第２偏光フィルタ２４６ｂがずれ込んだり、逆に、開口領域２７４ｂ側に第１偏光フィルタ２４６ａがずれ込む恐れがなく、偏光フィルタの位置ずれによるクロストーク発生も防止できる。
【０１０６】
図１５、図１６は、別の実施の形態を示す。
【０１０７】
これは、左眼用の光源２４３ａと第１偏光フィルタ２４６ａとの間ならびに右眼用の光源２４３ｂと第２偏光フィルタ２４６ｂとの間に設けられるプリズム２４５の中央プリズム体２５３ａに突起部３２０を形成して、左眼用の光源２４３ａ（第１光源グループ）から第１偏光フィルタ２４６ａへの光路と、右眼用の光源２４３ｂ（第２光源グループ）から第２偏光フィルタ２４６ｂへの光路との間の光の透過を防止する遮蔽部を構成するようにしたものである。
【０１０８】
この場合、中央プリズム体２５３ａの出光面部に、左眼用の光源２４３ａのプリズム２４５と右眼用の光源２４３ｂのプリズム２４５との境界部Ｍに沿って、第１偏光フィルタ２４６ａの開口領域２７４ａと第２偏光フィルタ２４６ｂの開口領域２７４ｂとの境界部に向けて突出する突起部３２０を形成すると共に、この突起部３２０の表面をしぼ（でこぼこ、しわ）加工する。
【０１０９】
このようにすれば、左眼用の光源２４３ａあるいは右眼用の光源２４３ｂからプリズム２４５を経て突起部３２０に入った光は、しぼ加工によって拡散するようになり、弱まる。したがって、左眼用の光源２４３ａ（第１光源グループ）からの光がプリズム２４５を経て右眼用の第２偏光フィルタ２４６ｂを通過したり、右眼用の光源２４３ｂ（第２光源グループ）からの光がプリズム２４５を経て左眼用の第１偏光フィルタ２４６ａを通過しても、その光は弱く、クロストークを十分に抑えることができる。
【０１１０】
図１７、図１８は、別の実施の形態を示す。
【０１１１】
これは、左眼用の光源２４３ａならびに右眼用の光源２４３ｂの中央プリズム体２５３ａを予め分割構造に形成してその分割部３４０が、左眼用の光源２４３ａ（第１光源グループ）から第１偏光フィルタ２４６ａへの光路と、右眼用の光源２４３ｂ（第２光源グループ）から第２偏光フィルタ２４６ｂへの光路との間の光の透過を防止する遮蔽部を構成するようにしたものである。
【０１１２】
中央プリズム体２５３ａを予め左眼用の光源２４３ａのプリズム２４５と右眼用の光源２４３ｂのプリズム２４５との境界部Ｍに沿って分割構造に形成して、その分割面をしぼ（でこぼこ、しわ）加工する。また、この場合中央プリズム体２５３ａの出光面部に、境界部Ｍに沿って、第１偏光フィルタ２４６ａの開口領域２７４ａと第２偏光フィルタ２４６ｂの開口領域２７４ｂとの境界部に向けて突出する分割構造の突起部３４１を形成すると共に、この突起部３４１の分割面もしぼ（でこぼこ、しわ）加工する。
【０１１３】
この後、しぼ加工した分割面を接合して中央プリズム体２５３ａを構成して、ホルダ２４２に取り付ける。
【０１１４】
このようにすれば、左眼用の光源２４３ａのプリズム２４５と右眼用の光源２４３ｂのプリズム２４５との境界部Ｍを通る光を低減することができる。したがって、プリズム２４５を介して、左眼用の光源２４３ａ（第１光源グループ）からの光が右眼用の第２偏光フィルタ２４６ｂに向かったり、右眼用の光源２４３ｂ（第２光源グループ）からの光が左眼用の第１偏光フィルタ２４６ａに向かうことを十分に抑制でき、クロストークを十分に抑えることができる。
【０１１５】
各実施の形態は、カバー枠２５８、プリズム体２５３ａに、左眼用の光源２４３ａ（第１光源グループ）から第１偏光フィルタ２４６ａへの光路と、右眼用の光源２４３ｂ（第２光源グループ）から第２偏光フィルタ２４６ｂへの光路との間の光の透過を防止する遮蔽部を形成するようにしたが、左眼用の光源２４３ａの発光素子２４８と右眼用の光源２４３ｂの発光素子２４８との間に、隔壁等を設けて、遮蔽部を形成するようにしても良い。
【０１１６】
このように光源２４３ａ、２４３ｂの間に遮蔽部を形成すれば、光路間の光の侵入を一層低減できる。また、各実施の形態に組み合わせれば、クロストークを十分に防止できる。
【０１１７】
なお、中央プリズム体２５３ａの境界部Ｍ近くのプリズム２４５の周面に、しぼ（でこぼこ、しわ）加工を施したり、光を透過させないメッキ等を施しても良い。
【０１１８】
なお、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】本発明の実施の形態の画像表示装置の斜視図である。
【図２】その分解斜視図である。
【図３】画像表示装置本体の分解斜視図である。
【図４】画像表示装置の機能説明図である。
【図５】画像表示装置の駆動回路のブロック図である。
【図６】光源ユニットの前側斜視図である。
【図７】光源ユニットの後側斜視図である。
【図８】光源ユニットの分解斜視図である。
【図９】光源ユニットの断面図である。
【図１０】光源ユニットの要部断面図である。
【図１１】画像表示装置の光学系の側面図である。
【図１２】画像表示装置の光学系の平面図である。
【図１３】本発明の別の実施の形態の光源ユニットの部分分解斜視図である。
【図１４】光源ユニットの要部断面図である。
【図１５】本発明の別の実施の形態の光源ユニットの部分分解斜視図である。
【図１６】光源ユニットの要部断面図である。
【図１７】本発明の別の実施の形態の光源ユニットの部分分解斜視図である。
【図１８】光源ユニットの要部断面図である。
【符号の説明】
２００  画像表示装置
２２０  画像表示装置本体
２２１  前面ユニット
２２２  後部ユニット
２２６  ディフューザ
２２７  液晶表示パネルユニット
２２８  フレネルレンズ
２３０  第１偏光板
２３１  第２偏光板
２３２  液晶表示パネル
２３３  微細位相差板
２３５  １／２波長板
２３６ａ、２３６ｂ  領域
２３７  後部ケース
２３８  光源ユニット
２４０  ミラー
２４２  ホルダ
２４３ａ  左眼用の光源
２４３ｂ  右眼用の光源
２４５  プリズム
２４６  偏光フィルタ
２４６ａ  第１偏光フィルタ
２４６ｂ  第２偏光フィルタ
２４７  基板
２４８  発光素子
２５３ａ  中央プリズム体
２５３ｂ  周辺プリズム体
２５７ａ  側部カバー部材
２５７ｂ  収納ベース部材
２５８  カバー枠
２５９  頂面（光放射面）
２７４  開口
２７４ａ、２７４ｂ  開口領域
２７７  抑え
２８１  隔壁
３２０  突起部
３４０  分割部
３４１  突起部
６００  駆動回路
【図１】
2004286826.tif 000003
【図２】
2004286826.tif 000004
【図３】
2004286826.tif 000005
【図４】
2004286826.tif 000006
【図５】
2004286826.tif 000007
【図６】
2004286826.tif 000008
【図７】
2004286826.tif 000009
【図８】
2004286826.tif 000010
【図９】
2004286826.tif 000011
【図１０】
2004286826.tif 000012
【図１１】
2004286826.tif 000013
【図１２】
2004286826.tif 000014
【図１３】
2004286826.tif 000015
【図１４】
2004286826.tif 000016
【図１５】
2004286826.tif 000017
【図１６】
2004286826.tif 000018
【図１７】
2004286826.tif 000019
【図１８】
2004286826.tif 000020